(57)【要約】【課題】従来の紙芝居具を用いた場合に比して、紙芝居の場面展開を動的にする。【解決手段】表面枠板材２０と、該表面枠板材の背面に沿ってスライド変位させることのできる中板材３０とを含む紙芝居具１０。表面枠板材は、その中央部分に表示窓２２を有するとともに、中板材をスライド可能に保持する手段を有し、中板材は、その一面に少なくとも２つの互いに独立した絵図Ａ，Ｂが描かれており、表面枠板材の背面に沿ってスライド変位させることによって、少なくとも２つの絵図Ａ，Ｂを、表示窓２２を通して個別に外部に表示できるようになっている。【選択図】図１
0003134552.tif 000002
【実用新案登録請求の範囲】
【請求項１】
表面枠板材と、該表面枠板材の背面に沿ってスライド変位させることのできる中板材とを含む紙芝居具において、
前記表面枠板材は、その中央部分に表示窓を有するとともに、前記中板材をスライド可能に保持する手段を有し、
前記中板材は、その一面に少なくとも２つの互いに独立した絵図が描かれており、前記表面枠板材の背面に沿ってスライド変位させることによって、前記少なくとも２つの絵図を、前記表示窓を通して個別に外部に表示できるようになっていることを特徴とする紙芝居具。
【請求項２】
前記中板材をスライド可能に保持する手段が、前記表面枠板材の背面を覆う背面枠板材であり、前記表面枠板材と前記背面枠板材が、全体として、前記中板材をスライド可能に収容する袋状体を構成し、前記中板材を該袋状体に対してスライドさせて出し入れするための少なくとも一つの端縁出入口を前記袋状体が有することを特徴とする請求項１に記載された紙芝居具。
【請求項３】
前記中板材をスライド可能に保持する手段が、前記表面枠板材の背面に設けた少なくとも一対のガイド部材であり、前記表面枠板材と前記ガイド部材の間で前記中板材がスライド変位せしめられるようになっていることを特徴とする請求項１に記載された紙芝居具。
【請求項４】
前記表面枠板材の背面に沿う前記中板材のスライド変位は、前記中板材の端縁部を把持して行なうようになされていることを特徴とする請求項１から請求項３までのいずれか１項に記載された紙芝居具。
【請求項５】
前記表面枠板材がシート材製、厚紙製、硬質樹脂製または木材製であることを特徴とする請求項１から請求項４までのいずれか１項に記載された紙芝居具。
【請求項６】
前記中板材がシート材製、厚紙製、硬質樹脂製または木材製であることを特徴とする請求項１から請求項５までのいずれか１項に記載された紙芝居具。
【考案の詳細な説明】
【技術分野】
【０００１】
本考案は、表面枠板材と、該表面枠板材の背面に沿ってスライド変位させることのできる絵図付き中板材とを含む紙芝居具に関するものである。
【背景技術】
【０００２】
公知の紙芝居具では、紙芝居の筋書きに応じて画面を切り換える際、画面ごとに中板材を取り替える必要があった。そのため、場面展開が静的であることを避けられず、従来の紙芝居具では、テレビ画面を見慣れた最近の小児に対して強い印象を与えることができないという欠点があった。
【考案の開示】
【考案が解決しようとする課題】
【０００３】
かくして、本考案の目的は、従来の紙芝居具を用いた場合に比して、紙芝居の場面展開を動的にすることである。
【課題を解決するための手段】
【０００４】
斯かる目的に照らし、本考案は、以下の紙芝居具を提供するものである。
表面枠板材と、該表面枠板材の背面に沿ってスライド変位させることのできる中板材とを含む紙芝居具であり、
前記表面枠板材が、その中央部分に表示窓を有するとともに、前記中板材をスライド可能に保持する手段を有し、
前記中板材が、その一面に少なくとも２つの互いに独立した絵図が描かれており、前記表面枠板材の背面に沿ってスライド変位させることによって、前記少なくとも２つの絵図を、前記表示窓を通して個別に外部に表示できるようになっている紙芝居具。
【０００５】
本考案の実施形態は、以下のとおりである。
（１）前記中板材をスライド可能に保持する手段が、前記表面枠板材の背面を覆う背面枠板材であり、前記表面枠板材と前記背面枠板材が、全体として、前記中板材をスライド可能に収容する袋状体を構成し、前記中板材を該袋状体に対してスライドさせて出し入れするための少なくとも一つの端縁出入口を前記袋状体が有する。
（２）前記中板材をスライド可能に保持する手段が、前記表面枠板材の背面に設けた少なくとも一対のガイド部材であり、前記表面枠板材と前記ガイド部材の間で前記中板材がスライド変位せしめられるようになされる。
（３）前記表面枠板材の背面に沿う前記中板材のスライド変位が、前記中板材の端縁部を把持して行なうようになされる。
（４）前記表面枠板材がシート材製、紙または厚紙製、硬質樹脂製または木材製である。
（５）前記中板材がシート材製、紙または厚紙製、硬質樹脂製または木材製である。
【考案の効果】
【０００６】
中板材に少なくとも２つの互いに独立した絵図が描かれているため、紙芝居の筋書きに応じて、表面枠板材の背面に沿って中板材をスライド変位させることにより、少なくとも２つの絵図を瞬時に切り換えて急速な場面展開を行なうことができ、小児の注意をそらさないように紙芝居を行なうことができる。
以下、添付図面を見ながら本考案の実施例について説明する。
【実施例】
【０００７】
図１、図２に、本考案の一実施例に係わる紙芝居具１０を示す。
紙芝居具１０は、表面枠板材２０と、中板材３０とで構成されている。表面枠板材２０は、内室を有する袋状体であり、一端縁（図では、左側の端縁）が開放されて開口をなし、該開口を通じて、内室内にスライド可能に中板材３０が挿入されている。表面枠板材２０は、典型的には紙製または樹脂シート材製袋状体であるが、紙製または樹脂シート材製箱状体であってもよい。また、袋状体の厚さに対応する、内室の奥行は、少なくとも一枚の中板材３０をスライド可能に受容する寸法になされる。内室内に、複数枚の中板材３０を同時に収容する必要がある場合には、それに応じて、内室の奥行サイズを大きくしなければならない。
【０００８】
表面枠板材２０の表面板に、一つの表示窓（開口）２２が形成され、紙芝居の観客は、その表示窓２２を通じて中板材３０上の絵図を見ることができる。
中板材３０には、概ね表面中央に位置して第一の絵図Ａが付され、図１、図２における左右方向に第一の絵図Ａと並んで第二の絵図Ｂが付されている（図３参照）。これら二つの絵図Ａ，Ｂは、表面枠板材２０内での中板材３０の収納位置に応じて、表示窓２２を通じて外部から見ることができる。
【０００９】
紙芝居具１０の使用法について：
図１は、表面枠板材２０の内室内に、中板材３０を十分深く挿入した状態を示しており、表示窓２２を通じて、中板材３０の第一の絵図Ａを見ることができる。この状態から、中板材３０の端部（図１において、表面枠板材２０の端縁開口部よりも外にはみ出している部分）を掴んで外側に引くと、図２に示すように、第一の絵図Ａに代わって、第二の絵図Ｂが表示窓２２内に現れる。この絵図の切り換えは、紙芝居の筋書に応じて迅速に行なうことが可能であり、観客（特に小児観客）に対して動的な印象を与えることが可能である。
【００１０】
変形形態：
（１）表面枠板材２０は、一端縁を開放して、中板材３０の出入口にしているが、一端縁のみならず、反対側の端縁をも開放させて、表面枠板材のいずれの側からも中板材３０を出し入れするようにできる。
（２）表面枠板材２０は、縦縁である一端縁を開放して、中板材３０の出入口にしているが、上端縁を開放して、中板材を上下方向で表面枠板材に対して出し入れする構造を採用してもよい。また、表面枠板材の上下両端縁を開放して、中板材３０を上下端いずれの方向からも出し入れする構造であってもよい。後者の構造を採用した場合には、表面枠板材の内室の一部に係止部を設けて、中板材から手を離しても中板材が落下しないようにすればよい。
（３）表面枠板材２０は、袋状体であっても、箱状体であってもよいことを先に述べたが、表面枠板材の表面板材をそのままにして、裏面板材を省き、両横縁または両縦縁に沿って案内溝を設け、該案内溝に沿って中板材をスライドさせるようにすることもできる。その場合、中板材の背面が外部に露出するため、紙芝居の筋書をその背面に記録しておき、これを紙芝居の進行中に適宜確認することができる。
（４）中板材の背面に記録した筋書を利用するために、表面枠板材２０の裏板材に適当な大きさの開口（または窓）を形成しておいてもよい。
【図面の簡単な説明】
【００１１】
【図１】本考案の一実施例に係わる紙芝居具の正面図。
【図２】図１に示す紙芝居具の使用形態を示す正面図。
【図３】図１、図２に示す紙芝居具の構成部品である絵図付き中板材の正面図。
【符号の説明】
【００１２】
１０：紙芝居具
２０：表面枠板材
２２：表示窓
３０：中板材
Ａ：第一の絵図
Ｂ：第二の絵図
【図１】
0003134552.tif 000003
【図２】
0003134552.tif 000004
【図３】
0003134552.tif 000005